(57)【要約】【課題】指示信号を受信して電子機器の設定を復元させる制御装置を提供する。【解決手段】制御信号に基づき、電子機器５の設定を制御する制御装置１ａであって、電子機器５の設定を設定情報として記憶する記憶部４０と、電子機器５の設定を復元させる指示信号を受信する受信部２０と、受信部２０が受信した指示信号に基づき、記憶部４０に記憶されている設定情報を用いて、電子機器５の設定を復元させる制御信号を送信する送信部５０と、を備えていることを特徴とする。【選択図】図２
2015115852.tif 000002
【特許請求の範囲】
【請求項１】
制御信号に基づき、電子機器の設定を制御する制御装置であって、
前記電子機器の設定を設定情報として記憶する記憶部と、
前記電子機器の設定を復元させる指示信号を受信する受信部と、
前記受信部が受信した前記指示信号に基づき、前記記憶部に記憶されている前記設定情報を用いて、前記電子機器の設定を復元させる前記制御信号を送信する送信部と、を備えていることを特徴とする制御装置。
【請求項２】
モーションセンサーを備え、
前記指示信号は、前記モーションセンサーからの出力信号であることを特徴とする請求項１に記載の制御装置。
【請求項３】
音声センサーを備え、
前記指示信号は、前記音声センサーからの音声信号であることを特徴とする請求項１に記載の制御装置。
【請求項４】
前記制御装置の少なくとも一部が、遠隔操作機器に備えられていることを特徴とする請求項１ないし請求項３のいずれか一項に記載の制御装置。
【請求項５】
前記制御装置は、前記電子機器に装着されていることを特徴とする請求項１ないし請求項４のいずれか一項に記載の制御装置。
【請求項６】
前記制御装置は、あらかじめ登録されたモーション情報を有し、
前記送信部は、前記モーション情報と、前記指示信号と、の比較結果に基づいて、前記電子機器の設定を復元させる制御信号を送信することを特徴とする請求項１ないし請求項５のいずれか一項に記載の制御装置。
【請求項７】
請求項１ないし請求項６のいずれか一項に記載の制御装置を備えていることを特徴とする電子機器。
【発明の詳細な説明】
【技術分野】
【０００１】
本発明は、制御装置、および制御装置を備えた電子機器に関する。
【背景技術】
【０００２】
従来、センサーを用いて電子機器を制御するリモートコントローラー（リモコン）装置が提案されている。例えば、下記の特許文献１では、テレビ等のリモコン装置にモーションセンサー（加速度センサー、傾斜センサー）が搭載されている。また、特許文献１は、ユーザーがリモコン装置の姿勢を変化させると、搭載されているモーションセンサーがリモコン装置の姿勢を検出し、音量が調節できたり、チャンネルを順送り（または逆送り）に変えたりするといった、電子機器の設定変更ができるリモコン装置を提案している。
【先行技術文献】
【特許文献】
【０００３】
【特許文献１】特開２００３−１１１１７１号公報
【発明の概要】
【発明が解決しようとする課題】
【０００４】
しかしながら、特許文献１で提案されているリモコン装置では、ユーザーがテレビ放送等を見ているときに、別のユーザーによる故意、または不意の操作によってチャンネルが変更されてしまい、変更前のチャンネルに戻したい場合、ユーザーは、変更前に見ていたチャンネルの番号を思い出して、リモコン装置のチャンネルのボタンを押して、チャンネルを戻す必要がある。また、ユーザーが、変更前に見ていたチャンネルの番号を覚えていない場合は、すべてのチャンネルを確認する必要がある。故意、または不意の操作によって変更された電子機器の設定を戻すためには、操作に手間と時間がかかり、テレビ放送等において大事な場面を見逃す虞があった。
【課題を解決するための手段】
【０００５】
本発明は、上述の課題の少なくとも一部を解決するためになされたものであり、以下の形態または適用例として実現することが可能である。
【０００６】
［適用例１］本適用例にかかる制御装置は、制御信号に基づき、電子機器の設定を制御する制御装置であって、前記電子機器の設定を設定情報として記憶する記憶部と、前記電子機器の設定を復元させる指示信号を受信する受信部と、前記受信部が受信した前記指示信号に基づき、前記記憶部に記憶されている前記設定情報を用いて、前記電子機器の設定復元させる前記制御信号を送信する送信部と、を備えていることを特徴とする。
【０００７】
このような制御装置によれば、ユーザーは、視聴している電子機器の設定を、別のユーザーに変更された場合に、指示信号を発生させることで、制御装置に記憶されている電子機器の設定情報を用いて、電子機器の設定を別のユーザーに変更される前の状態に復元させて、電子機器の視聴をすることができる。例えば、テレビ放送等の電子機器を視聴しているユーザーは、電子機器の設定を変更された場合に、変更前のチャンネルの番号を思い出して戻したり、すべてのチャンネルを確認して戻したりする必要がなくなる。これにより、電子機器を視聴しているユーザーは、早急に見ていた設定に戻すことができるため、テレビ放送等において大事な場面を見逃すことがなくなる。
【０００８】
［適用例２］上記適用例にかかる制御装置において、モーションセンサーを備え、前記指示信号は、前記モーションセンサーからの出力信号であることを特徴とする。
【０００９】
このような制御装置によれば、ユーザーからの所定の運動動作をモーションセンサーが検出し、出力信号とする。モーションセンサーの出力信号を指示信号とすることで、電子機器の設定を、所定の運動動作によって復元させることができる。これにより、電子機器を視聴しているユーザーは、早急に見ていた設定に戻すことができるため、テレビ放送等において大事な場面を見逃すことがなくなる。
【００１０】
［適用例３］上記適用例にかかる制御装置において、音声センサーを備え、前記指示信号は、前記音声センサーからの音声信号であることを特徴とする。
【００１１】
このような制御装置によれば、ユーザーの所定の音声を音声センサーが検知し、音声信号とする。音声センサーの音声信号を指示信号とすることで、電子機器の設定を、所定の音声によって復元させることができる。これにより、電子機器を視聴しているユーザーは、早急に見ていた設定に戻すことができるため、テレビ放送等において大事な場面を見逃すことがなくなる。
【００１２】
［適用例４］上記適用例にかかる制御装置において、前記制御装置の少なくとも一部が、遠隔操作機器に備えられていることを特徴とする。
【００１３】
このような制御装置によれば、制御装置の少なくとも一部として、例えば、ユーザーからの運動動作を検出するモーションセンサーと、ユーザーの音声を検知する音声センサーとが、遠隔操作機器に搭載され、ユーザーの近傍に配置されることで、ユーザーからの所定の運動動作の検出と、ユーザーの所定の音声の検知とが容易になる。また、モーションセンサーの出力信号、音声センサーの音声信号を指示信号とすることで、電子機器の設定を復元させることができる。これにより、電子機器を視聴しているユーザーは、早急に見ていた設定に戻すことができるため、テレビ放送等において大事な場面を見逃すことがなくなる。
【００１４】
［適用例５］上記適用例にかかる制御装置において、前記制御装置は、前記電子機器に装着されていることを特徴とする。
【００１５】
このような制御装置によれば、制御装置が装着された電子機器をユーザーの近傍に配置する場合に、ユーザーの音声の検知が容易になる。また、ユーザーの音声信号を指示信号とすることで、電子機器の設定を復元させることができる。これにより、電子機器を視聴しているユーザーは、早急に見ていた設定に戻すことができるため、テレビ放送等において大事な場面を見逃すことがなくなる。
【００１６】
［適用例６］上記適用例にかかる制御装置において、前記制御装置は、あらかじめ登録されたモーション情報を有し、前記送信部は、前記モーション情報と、前記指示信号と、の比較結果に基づいて、前記電子機器の設定を復元させる制御信号を送信することを特徴とする。
【００１７】
このような制御装置によれば、ユーザーからの所定の運動動作の情報（モーション情報）をあらかじめ登録しておくことで、指示信号とモーション情報とを比較し、その結果に基づいて電子機器の設定を復元させることができる。これにより、電子機器を視聴しているユーザーは、早急に見ていた設定に戻すことができるため、テレビ放送等において大事な場面を見逃すことがなくなる。
【００１８】
［適用例７］本適用例にかかる電子機器は、上記記載の制御装置を備えていることを特徴とする。
【００１９】
このような電子機器によれば、制御装置は、指示信号によって電子機器の設定を復元させることができるため、視聴しているテレビ放送等において大事な場面を見逃したり、聞き逃したりすることがなくなる電子機器を提供することが可能となる。
【図面の簡単な説明】
【００２０】
【図１】（ａ）、（ｂ）は、第１実施形態の制御装置を使ったシステムの構成例を示す図。
【図２】制御装置の構成を示すブロック図であり、（ａ）は第１実施形態、（ｂ）は第２実施形態、（ｃ）は第３実施形態を示す図。
【図３】第１実施形態の制御装置の処理の一例を示すフローチャート。
【図４】第２実施形態の制御装置を使ったシステムの構成例を示す図。
【図５】第２実施形態の制御装置の処理の一例を示すフローチャート。
【図６】第３実施形態の制御装置を使ったシステムの構成例を示す図。
【図７】第３実施形態の制御装置の処理の一例を示すフローチャート。
【図８】（ａ）、（ｂ）は、変形例の制御装置を使ったシステムの構成例を示す図。
【図９】変形例の制御装置の構成を示すブロック図。
【図１０】（ａ）は、制御装置を備えるラジオを示す斜視図、（ｂ）は、制御装置を備えるＤＶＤプレーヤーを示す斜視図。
【発明を実施するための形態】
【００２１】
以下、本発明の実施形態について、図面を参照して説明する。なお、以下の各図においては、各層や各部材を認識可能な程度の大きさにするため、各層や各部材の尺度を実際とは異ならせしめている。
【００２２】
（第１実施形態）
第１実施形態にかかる制御装置を使ったシステムの構成例について説明する。
図１は、第１実施形態にかかる制御装置１ａを使ったシステムの構成例を示す図である。
図１（ａ）に示すように、制御装置１ａは、電子機器５と離間した場所にある机の上に配置されている。
図１（ｂ）は、ユーザーＭ１の手が、振動を制御装置１ａに与えるために机を叩いている動作を示している。
【００２３】
第１実施形態にかかる制御装置１ａは、テレビである電子機器５に、無線通信で接続されている。ユーザーＭ１は、制御装置１ａに指示することにより、電子機器５の制御を行うことができる。
電子機器５は、テレビに限られず、例えばラジオ、ＤＶＤプレーヤー、ＣＤ（Compact Disc）プレーヤーなどの機器であってもよい。
【００２４】
図２（ａ）は、制御装置１ａの構成を示すブロック図である。
図２（ａ）に示すように、制御装置１ａは、制御部１０、受信部２０、操作部３０、記憶部４０、送信部５０、モーションセンサー６０等を含んで構成され、電子機器５と通信接続されている。制御装置１ａは、制御信号によって電子機器５の設定を制御する。
【００２５】
制御部１０は、ＣＰＵ（Central Processing Unit）、ＲＡＭ（Random Access Memory）、およびＲＯＭ（Read Only Memory）等を備え、制御装置１ａにおける各部を統括的に制御する。
【００２６】
受信部２０は、電子機器５の設定を復元させる指示信号を受信する。
【００２７】
操作部３０は、ユーザーＭ１からの操作データを取得し、制御部１０に送る処理を行う。操作部３０は、例えば、タッチパネル型ディスプレイ、ボタン、キーなどである。また、制御装置１ａを遠隔操作機器（リモコン）として使用する場合に、操作部３０を用いて電子機器５の設定を制御することができる。
【００２８】
記憶部４０は、例えばハードディスクのような外部記憶装置であり、制御装置１ａにおける各種データを記憶する。
記憶部４０は、電子機器５のチャンネルの履歴、および音量などの設定情報を記憶したり、ユーザーのモーションをモーション情報としてあらかじめ登録したりする。
電子機器５が、ＤＶＤプレーヤー等の再生機器である場合は、設定情報に再生時間などを含んでもよい。また、記憶部４０にさらにメモリー等を搭載することで、チャンネルの映像、および音声データなどを記憶することができる。
【００２９】
送信部５０は、電子機器５と通信が可能であり、電子機器５の設定を制御する制御信号を送信する。また、制御信号は、前述したように、直接電子機器５に送信する方法に限らず、例えば、増幅機能を備えた中継機器などを介して電子機器５に送信してもよい。通信方法は無線でも有線でも良い。
送信部５０は、受信部２０が受信した指示信号に基づき、記憶部４０に記憶されている電子機器５の設定情報を用いて、電子機器５の設定を復元させる制御信号を電子機器５に送信する。
【００３０】
モーションセンサー６０は、複数の検出軸を備えた加速度センサー、および複数の検出軸を備えた角速度センサーなどを搭載しており、ユーザーＭ１からの所定の運動動作（モーション）をモーションセンサー６０が検出し、出力信号とする。図１（ｂ）に示すように、本実施形態のユーザーＭ１のモーションは、机を手で叩いて振動を発生させる動作である。モーションを検出した出力信号は、指示信号として受信部２０に入力される。
また、詳細な説明は省略するが、モーションセンサーを圧力センサーに変更することで、ユーザーＭ１の握る力を検出し、指示信号とすることができる。
【００３１】
また、記憶部４０にあらかじめ登録されたモーション情報と、モーションセンサー６０からの指示信号とを比較し、その結果に基づいた制御信号を送信部５０から送信することで、電子機器の設定を復元することができる。
【００３２】
次に、制御装置１ａの処理について説明する。
図３は、制御装置１ａの処理の一例を示すフローチャートである。以下、図２（ａ）、図３を参照しながら説明する。
なお、あらかじめ、記憶部４０にユーザーＭ１のモーションがモーション情報として登録されているものとして説明する。
【００３３】
図３に示すように、制御部１０は、電子機器５と通信し、電子機器５の設定（チャンネル、および音量等）を記憶部４０に設定情報として記憶する。（ステップＳ１２）。
次に、制御部１０は、受信部２０に指示信号（モーションセンサー６０の出力信号）が受信されたか否かを判定する（ステップＳ１４）。
受信部２０に指示信号が受信された場合（ステップＳ１４のＹ）、制御部１０は、指示信号がモーション情報と同一か否かを判定する（ステップＳ１６）。
一方、受信部２０に指示信号が受信されていない場合（ステップＳ１４のＮ）、ステップＳ１２に移行する。
【００３４】
指示信号がモーション情報と同一ではない場合（ステップＳ１６のＮ）、ステップＳ１２に移行する。
指示信号がモーション情報と同一である場合（ステップＳ１６のＹ）、制御部１０は、電子機器５に制御信号（記憶部４０に記憶されている設定情報）を、送信部５０を介して送信する（ステップＳ１８）。
次に、制御部１０は、制御装置１ａの処理を終了するか否かを判定し（ステップＳ２０）、制御装置１ａの処理を終了しない（ステップＳ２０のＮ）場合、ステップＳ１２に移行する。一方、制御装置１ａの処理を終了する（ステップＳ２０のＹ）場合、制御装置１ａの処理は終了する。
【００３５】
上述した処理によると、電子機器５の設定情報（チャンネル、および音量等）を他のユーザーにリモコンなどで操作された場合に、ユーザーＭ１は、制御装置１ａが配置された机を振動させる。その振動をモーションセンサー６０が検出し、出力信号として出力する。受信部２０は、出力信号を指示信号として受信する。受信した指示信号がモーション情報と同一である場合、例えば、ユーザーＭ１が振動させた回数（指示信号）と、受信部２０にあらかじめ登録されている振動の回数（モーション情報）とが同一だった場合、制御部１０は、記憶されていた設定情報を制御信号として送信し、電子機器５の設定を他のユーザーに操作される前の状態に復元することができる。
【００３６】
以上述べたように、第１実施形態にかかる制御装置１ａによれば、以下の効果を得ることができる。
第１実施形態によれば、制御装置１ａは、ユーザーＭ１が発生させる振動で電子機器５の設定情報を復元することができる。ユーザーＭ１は、他のユーザーに操作される前に見ていた電子機器５のチャンネルの番号を覚える必要や、すべてのチャンネルを確認する必要がなくなる。これにより、ユーザーＭ１は、早急に見ていたチャンネルに戻すことができるため、テレビ放送などの大事な場面を見逃すことがなくなる。
また、ユーザーＭ１が電子機器５の操作を誤って行いチャンネルの変更をした場合や、他のチャンネルの映像を確認するためにチャンネルの変更をした場合、変更する前まで視聴していたチャンネルに簡単に戻すことができる。
【００３７】
また、電子機器５の設定情報を復元するときにタイムラグが生じることがあり、テレビ放送などの大事な場面を見逃すということがある。下記に、その解決方法の一例を記述する。
他のユーザーが電子機器５の設定情報（チャンネル、音量、再生時間等）を操作した時刻をＴ１とする。そして、電子機器５が操作されたことに気づいたユーザーＭ１が振動を発し、電子機器５の設定情報を戻した時刻をＴ２とする。Ｔ１とＴ２との時刻の間の電子機器５のチャンネル映像、および音声を視聴することができなくなる。つまり、ユーザーＭ１は、テレビ放送などの大事な場面を見逃すことになる。
そこで、Ｔ２の後に、記憶部４０に記憶されているＴ１からＴ２のチャンネル映像、および音声を挿入し、再生（タイムシフト再生、いわゆる追っかけ再生）をすることで、テレビ放送などの大事な場面を見逃すことがなくなる。
【００３８】
（第２実施形態）
第２実施形態にかかる制御装置を使ったシステムの構成例について説明する。
図４は、第２実施形態にかかる制御装置１ｂを使ったシステムの構成例を示す図である。
【００３９】
図４に示すように、第２実施形態における制御装置１ｂは、第１実施形態（図１（ａ））の構成に対して、制御装置１ｂが電子機器５の近傍に配置されている。第２実施形態における制御装置１ｂは、第１実施形態（図２（ａ））の構成と同様な概略構成であるため、第１実施形態と同じ構成部材には同一符号を付し、ここではそれらの説明を省略又は簡略化する。
【００４０】
図２（ｂ）に示すように、制御装置１ｂは、制御部１０、受信部２０、操作部３０、記憶部４０、送信部５０、音声センサー７０等を含んで構成され、電子機器５と通信接続されている。
【００４１】
制御部１０、操作部３０、記憶部４０、送信部５０の機能、および構成は、第１実施形態と同様であるため、詳細な記述は省略する。
【００４２】
受信部２０は、電子機器５の設定を復元させる指示信号を受信する。指示信号は、ユーザーＭ１の所定の音声を検知する音声センサー７０の音声信号である。また、記憶部４０に、音声センサー７０からの音声（ユーザーＭ１の音声（言葉））を音声情報としてあらかじめ登録しておくことで、検知した音声信号と、登録された音声情報とを比較することができる。
【００４３】
音声センサー７０は、マイクロフォン（マイク）などを搭載しており、ユーザーＭ１からの所定の音声を音声センサー７０が検出し、音声信号とする。
【００４４】
次に、制御装置１ｂの処理について説明する。
図５は、制御装置１ｂの処理の一例を示すフローチャートである。同図に示す制御装置１ｂ、および電子機器５の各処理は、それぞれの開始スイッチがオンされた場合に開始され、オフされた場合に終了する。以下、図２（ｂ）、図５を参照しながら説明する。
なお、あらかじめ、記憶部４０にマイクからの音声信号が音声情報として登録されているものとして説明する。
【００４５】
図５に示すように、まず、制御部１０は、電子機器５と通信し、電子機器５の設定（チャンネル、および音量等）を記憶部４０に設定情報として記憶する。（ステップＳ１２ａ）。
次に、制御部１０は、受信部２０に、指示信号（音声信号）が受信されたか否かを判定する（ステップＳ１４ａ）。
受信部２０に指示信号が受信された場合（ステップＳ１４ａのＹ）、制御部１０は、指示信号が、登録されている音声情報と同一か否かを判定する（ステップＳ１６ａ）。
一方、受信部２０に指示信号が受信されていない場合（ステップＳ１４ａのＮ）、ステップＳ１２ａに移行する。
【００４６】
一方、指示信号が、登録されている音声情報と同一ではない場合（ステップＳ１６ａのＮ）、ステップＳ１２ａに移行する。
指示信号が、登録されている音声情報と同一である場合（ステップＳ１６ａのＹ）、制御部１０は、電子機器５に制御信号（記憶部４０に記憶されている設定情報）を、送信部５０を介して送信する（ステップＳ１８ａ）。
次に、制御部１０は、制御装置１ｂの処理を終了するか否かを判定し（ステップＳ２０ａ）、制御装置１ｂの処理を終了しない（ステップＳ２０ａのＮ）場合、ステップＳ１２ａに移行する。制御装置１ｂの処理を終了する（ステップＳ２０ａのＹ）場合、制御装置１ｂの処理は終了する。
【００４７】
上述した処理によると、電子機器５の設定情報（チャンネル、および音量等）を他のユーザーにリモコンなどで操作された場合に、ユーザーＭ１は、音声を発する。その音声をマイクが取得し、音声信号として出力する。受信部２０は、音声信号を指示信号として受信する。受信した指示信号（音声信号）が所定の音声（受信部２０に登録されている音声情報（例えば、「もどれ」、「もどして」））と同一である場合、電子機器５の設定情報を他のユーザーに操作される前の状態に復元することができる。
【００４８】
以上述べたように、第２実施形態にかかる制御装置１ｂによれば、以下の効果を得ることができる。
第２実施形態によれば、制御装置１ｂは、ユーザーＭ１が発する音声で電子機器５の設定を復元することができる。ユーザーＭ１は、他のユーザーに操作される前に見ていた電子機器５のチャンネルの番号を覚える必要や、すべてのチャンネルを確認する必要がなくなる。これにより、ユーザーＭ１は、早急に見ていたチャンネルに戻すことができるため、テレビ放送などの大事な場面を見逃すことがなくなる。
また、ユーザーＭ１が電子機器５の操作を誤って行いチャンネルの変更をした場合や、他のチャンネルの映像を確認するためにチャンネルの変更をした場合、変更する前まで視聴していたチャンネルに簡単に戻すことができる。
また、電子機器５の近傍に配置されている制御装置１ｂを、電子機器５の内部に搭載し、一体化した構造にしてもよい。
【００４９】
（第３実施形態）
第３実施形態にかかる制御装置を使ったシステムの構成例について説明する。
図６は、第３実施形態にかかる制御装置１ｃを使ったシステムの構成例を示す図である。
【００５０】
図６に示すように、第３実施形態における制御装置１ｃは、電子機器５と離間した場所にある机の上に配置されている。なお、制御装置１ｃは、ユーザーＭ１に保持されていてもよい。第３実施形態における制御装置１ｃは、第１実施形態（図２（ａ））、および第２実施形態（図２（ｂ））の構成と略同様な概略構成であるため、同じ構成部材には同一符号を付し、ここではそれらの説明を省略又は簡略化する。
【００５１】
図２（ｃ）に示すように制御装置１ｃは、制御部１０、受信部２０、操作部３０、記憶部４０、送信部５０、モーションセンサー６０、音声センサー７０等を含んで構成され、電子機器５と通信接続されている。
【００５２】
制御部１０、操作部３０、記憶部４０、送信部５０、モーションセンサー６０の機能、および構成は、第１実施形態と同様であるため、詳細な記述は省略する。
また、音声センサー７０の機能、および構成は、第２実施形態と同様であるため、詳細な記述は省略する。
【００５３】
受信部２０は、電子機器５の設定を復元させる指示信号を受信する。指示信号は、ユーザーＭ１の所定のモーションを検出するモーションセンサー６０の出力信号、およびユーザーＭ１の所定の音声を検知する音声センサー７０の音声信号の少なくとも一方である。
また、記憶部４０に、あらかじめモーション（ユーザーＭ１のモーション（図１（ｂ））をモーション情報として登録したり、マイクからの音声（ユーザーＭ１の音声（言葉））を音声情報として登録したりする。
【００５４】
制御部１０は、モーションセンサー６０の出力信号と、登録されたモーション情報と、を比較したり、マイクが検知した音声信号と、登録された音声情報と、を比較したりする。
すなわち、モーションセンサー６０の出力信号や、ユーザーＭ１の音声信号が指示信号になる。
【００５５】
次に、制御装置１ｃの処理について説明する。
図７は、制御装置１ｃの処理の一例を示すフローチャートである。同図に示す制御装置１ｃ、および電子機器５の各処理は、それぞれの開始スイッチがオンされた場合に開始され、オフされた場合に終了する。以下、図２（ｃ）、図７を参照しながら説明する。
なお、あらかじめ、記憶部４０にモーション情報、および音声情報が登録されているものとして説明する。
【００５６】
図７に示すように、まず、制御部１０は、電子機器５と通信し、電子機器５の設定（チャンネル、および音量等）を記憶部４０に設置情報として記憶させる。（ステップＳ１２ｂ）。
次に、制御部１０は、受信部２０に指示信号（モーションセンサー６０の出力信号、または音声センサー７０の音声信号）が受信されたか否かを判定する（ステップＳ１４ｂ）。
受信部２０に指示信号が受信された場合（ステップＳ１４ｂのＹ）、制御部１０は、指示信号の種類を判定する（ステップＳ１６ｂ）。
一方、受信部２０に指示信号が受信されていない場合（ステップＳ１４ｂのＮ）、ステップＳ１２ｂに移行する。
【００５７】
次に、指示信号がモーションセンサー６０の出力信号の場合（ステップＳ１６ｂのＡ）、制御部１０は、指示信号がモーション情報と同一か否かを判定する（ステップＳ１８ｂ）。
指示信号が、モーション情報と同一である場合（ステップＳ１８ｂのＹ）、次に、ステップＳ２２ｂに移行する。
一方、指示信号がモーション情報と同一ではない場合（ステップＳ１８ｂのＮ）、ステップＳ１２ｂに移行する。
【００５８】
指示信号が音声センサー７０の音声信号の場合（ステップＳ１６ｂのＢ）、指示信号が登録されている所定の音声（音声情報）と同一か否かを判定する（ステップＳ２０ｂ）。
次に、指示信号が登録されている所定の音声と同一である場合（ステップＳ２０ｂのＹ）、次にステップＳ２２ｂに移行する。
一方、指示信号が登録されている所定の音声と同一ではない場合（ステップＳ２０ｂのＮ）、ステップＳ１２ｂに移行する。
【００５９】
一方、指示信号がモーションセンサー６０の出力信号、または音声センサー７０の音声信号のいずれかでもない場合（ステップＳ１６ｂのＣ）、ステップＳ１２ｂに移行する。
【００６０】
次に、ステップＳ２２ｂに移行する。
制御部１０は、電子機器５に制御信号（記憶部４０に記憶されている設定情報）を、送信部５０を介して送信する（ステップＳ２２ｂ）。
次に、制御部１０は、制御装置１ｃの処理を終了するか否かを判定し（ステップＳ２４ｂ）、制御装置１ｃの処理を終了しない（ステップＳ２４ｂのＮ）場合、ステップＳ１２ｂに移行する。制御装置１ｃの処理を終了する（ステップＳ２４ｂのＹ）場合、制御装置１ｃの処理は終了する。
【００６１】
上述した処理によると、電子機器５の設定（チャンネル、および音量等）を他のユーザーに操作された場合に、ユーザーＭ１は、制御装置１ｃが配置された机を振動させたり、制御装置１ｃに向かって音声を発したりする。振動は、モーションセンサー６０が検出し、出力信号として出力する。また、音声は音声センサー７０が検知し、音声信号として出力する。受信部２０は、出力信号または音声信号を指示信号として受信する。制御部１０は、受信した指示信号に基づいて、記憶されていた設定情報を制御信号として送信し、電子機器５の設定を他のユーザーに操作される前の状態に復元することができる。
【００６２】
以上述べたように、第３実施形態にかかる制御装置１ｃによれば、以下の効果を得ることができる。
第３実施形態によれば、制御装置１ｃは、ユーザーＭ１が発生させる振動や音声で電子機器５の設定を復元することができる。ユーザーＭ１は、他のユーザーに操作される前に見ていた電子機器５のチャンネルの番号を覚える必要や、すべてのチャンネルを確認する必要がなくなる。これにより、ユーザーＭ１は、早急に見ていたチャンネルに戻すことができるため、テレビ放送などの大事な場面を見逃すことがなくなる。
また、ユーザーＭ１が電子機器５の操作を誤って行いチャンネルの変更をした場合や、他のチャンネルの映像を確認するためにチャンネルの変更をした場合、変更する前まで視聴していたチャンネルに簡単に戻すことができる。
【００６３】
（変形例）
第３実施形態で説明をした制御装置１ｃの変形例を、図８、および図９を参照して以下に説明する。
図８（ａ）、図８（ｂ）は、撮像部８０を備えた制御装置１ｄの構成を示す図である。同図に示すように変形例における制御装置１ｄは、第３実施形態（図６）のシステム構成に対して、制御装置１ｄが電子機器５の近傍に配置されている。変形例における制御装置１ｄでは、第３実施形態と同じ構成部材には同一符号を付し、ここではそれらの説明を省略又は簡略化する。
なお、制御装置１ｄは、ユーザーＭ１に保持されていても、または机上に配置されていてもよい。
【００６４】
図９は、制御装置１ｄの構成例を示すブロック図である。同図に示すように、制御装置１ｄは、制御部１０、受信部２０、操作部３０、記憶部４０、送信部５０、撮像部８０等を含んで構成され、電子機器５と通信接続されている。
【００６５】
撮像部８０は、カメラであり、制御装置１ｄが配置（本変形例では電子機器５の近傍）されている周囲の状況の撮影を行う。撮像部８０が撮影した情報は、制御部１０に撮影情報として送ることができる。
【００６６】
制御装置１ｄは、撮像部８０が撮影した撮像情報を制御部１０で解析する。すなわち、制御部１０は、撮像部８０を用いて、ユーザーＭ１が電子機器５を視聴しているかを監視することができる。
制御部１０は、撮像情報に基づいて制御装置１ｄの制御を行う。具体的には、制御部１０は、ユーザーＭ１が電子機器５を視聴（凝視）している場合（図８（ａ））、他のユーザーが電子機器５のチャンネル、音量などの操作ができない（ロックする）ようにする。
このことにより、ユーザーＭ１が電子機器５を視聴している場合は、設定を変更することができないため、テレビ放送などの大事な場面を見逃すことがなくなる。
また、撮像部８０を複数搭載することで、ユーザーＭ１の視聴状態をより正確に監視することができる。
【００６７】
また、ユーザーＭ１が電子機器５を視聴しながら眠った場合（図８（ｂ））、制御部１０は、撮像情報に基づいて、制御装置１ｄの制御を行う。具体的には、制御部１０は、ユーザーＭ１が、電子機器５を視聴していない（眠っている）場合、タイマーを起動させる。起動させたタイマーの時間が第１の閾値を超えた場合、電子機器５の音量を徐々に小さく、映像表示部を徐々に暗くする。また、タイマーの時間が第２の閾値を超えた場合、電子機器５の電源を切る。
ユーザーＭ１が第１の閾値、または第２の閾値の間に覚醒し、電子機器５の視聴を始めた場合、撮像情報に基づいて電子機器５の音量の大きさや映像表示部の明るさを元に戻してもよい。
このことにより、ユーザーＭ１が電子機器５を視聴していない場合、制御部１０は、電子機器５の音量や明るさを漸減し、電源を切ることで、電子機器５の消費電力などを抑制することができる。
【００６８】
（実施例）
次いで、本発明の第２実施形態にかかる制御装置１ｂを適用した電子機器の実施例について、図１０を参照して説明する。
図１０（ａ）は、制御装置１（１ｂ）が搭載されているラジオを示す斜視図、図１０（ｂ）は、制御装置１（１ｂ）が搭載されているＤＶＤプレーヤーを示す斜視図である。
【００６９】
［電子機器］
図１０（ａ），（ｂ）に示すように、電子機器としてのラジオ５００、およびＤＶＤプレーヤー６００は、本実施形態にかかる制御装置１（１ｂ）が搭載されている。
図１０（ａ）は、本実施形態にかかる制御装置１（１ｂ）を備える電子機器としてのラジオの概略構成を示す斜視図である。このようなラジオ５００には、大事な放送を聞き逃さないように機能する制御装置１（１ｂ）が内蔵されている。
【００７０】
また、図１０（ｂ）は、本実施形態にかかる制御装置１（１ｂ）を備える電子機器としてのＤＶＤプレーヤーの概略構成を示す斜視図である。このようなＤＶＤプレーヤー６００には、大事な場面を見逃さないように機能する制御装置１（１ｂ）が内蔵されている。
【００７１】
なお、本発明の一実施形態にかかる制御装置１ａ、１ｂ、１ｃは、図１０（ａ）のラジオ、図１０（ｂ）のＤＶＤプレーヤーの他にも、例えば、カーナビゲーション装置、電子辞書、電卓、電子ゲーム機器、ワードプロセッサー、ワークステーション、テレビ電話、防犯用テレビモニター、各種測定機器等の電子機器に適用することができる。
【符号の説明】
【００７２】
１…制御装置、５…電子機器、１０…制御部、２０…受信部、３０…操作部、４０…記憶部、５０…送信部、６０…モーションセンサー、７０…音声センサー、８０…撮像部、５００…ラジオ、６００…ＤＶＤプレーヤー、Ｍ１…ユーザー。
【図１】
2015115852.tif 000003
【図２】
2015115852.tif 000004
【図３】
2015115852.tif 000005
【図４】
2015115852.tif 000006
【図５】
2015115852.tif 000007
【図６】
2015115852.tif 000008
【図７】
2015115852.tif 000009
【図８】
2015115852.tif 000010
【図９】
2015115852.tif 000011
【図１０】
2015115852.tif 000012